(57)【要約】【課題】電装箱が簡単に着脱でき、且つ、デザイン的にも不恰好にならない空気調和機の室外機を提供する。【解決手段】冷媒圧縮機などを収納した本体ケース３の右側面部３Ａに側面添設部６を介して着脱可能に螺子止めされた電装箱取着部材４の、本体ケース３の背面部３Ｂに添設された背面添設部７と、背面添設部７から後方に延設された受板部８と、天板部１０と、天板部１０の後端部から垂設された後方ガイド部１１とで形成される電装箱取着部１２に、プリント基板、直流／直流コンバータなどを収納した電装箱２を左右方向に摺動して本体ケース３の背面に着脱可能に螺子止めするようにした室外機である。【選択図】  図２
2005249246.tif 000002
【特許請求の範囲】
【請求項１】
冷媒圧縮機・冷媒／空気熱交換器・送風機などを本体ケース内に備えた空気調和機の室外機において、プリント基板などを収納した電装箱が本体ケースの背面に着脱可能に取着されたことを特徴とする空気調和機の室外機。
【請求項２】
電装箱が電装箱取着部材を介して本体ケースの背面に着脱可能に取着されたことを特徴とする請求項１記載の空気調和機の室外機。
【請求項３】
電装箱取着部材が本体ケース背面に添設された背面添設部と、その背面添設部の下部から後方に延設された受板部と、背面添設部の上部から後方に延設された天板部と、少なくとも受板部・天板部の何れか一方の後端から他方の側に延設された後方ガイド部材とから構成された電装箱取着部を備え、電装箱が受板部上を左右方向に摺動して電装箱取着部材の本体ケース背面に位置する電装箱取着部に着脱可能に取着されたことを特徴とする請求項２記載の空気調和機の室外機。
【請求項４】
背面添設部の一方の側端から前方に延設された側面添設部が本体ケースの側面に着脱可能に取着されて電装箱取着部材の背面添設部が本体ケースの背面に配置されたことを特徴とする請求項２または３記載の空気調和機の室外機。
【請求項５】
背面添設部に設けられたフックが本体ケース背面に設けられた横板部に着脱自在に係合されて、電装箱取着部材の背面添設部が本体ケース背面に着脱可能に支持されたことを特徴とする請求項２〜４何れかに記載の空気調和機の室外機。
【請求項６】
フックが背面添設部の上部と下部の上下に分散して設けられたことを特徴とする請求項５記載の空気調和機の室外機。
【請求項７】
直流電力を昇圧した直流電力に変換するコンバータまたは直流電力を交流電力に変換するコンバータが電装箱の内部に設けられたことを特徴とする請求項１〜６何れかに記載の空気調和機の室外機。
【請求項８】
コンバータに太陽電池パネルが接続されたことを特徴とする請求項７記載の空気調和機の室外機。
【発明の詳細な説明】
【技術分野】
【０００１】
本発明は、室内の壁面などに設置される室内機と共同して室内空気の温度調節などに供される空気調和機の室外機に関するものである。
【背景技術】
【０００２】
この種の室外機としては、例えば図４に示したように本体ケース３の底板に左右一対のレール３０を設け、そのレール３０により電装箱２を前後に摺動させて本体ケース３に着脱する構成の室外機１Ｘが周知である（例えば、特許文献１参照。）。
【０００３】
また、上記構成の室外機１Ｘが提案された特許文献１においては、本体ケースの側面に引っ掛け部材を設けて電装箱をその引っ掛け部材に引っ掛けて仮止めした後、多数の螺子を用いて電装箱を本体ケースの側面に固定するようにした室外機も開示されている。
【０００４】
また、電装箱を本体ケースの上部側で前後に摺動して着脱するように構成した室外機も周知である（例えば、特許文献２参照。）。
【特許文献１】特開平５−１４１７１５号
【特許文献２】特開平１０−１２２６０３号
【発明の開示】
【発明が解決しようとする課題】
【０００５】
特許文献１、２に提案された室外機においては、電装箱を前後にスライドして本体ケースに着脱する構成となっているので、電装箱を本体ケースの後側に引き出すときには背面パネルを外し、且つ、電装箱を引き出すためのスペースを室外機の背後に確保する必要があり、電装箱を本体ケースの前側に引き出すときには前面パネルを外す必要があり、メンテナンスなどが簡単に行えないと云った問題点があった。
【０００６】
また、本体ケースの側面に引っ掛け部材を設けて電装箱をその引っ掛け部材に引っ掛けて仮止めし、その後に多数の螺子を用いて電装箱を本体ケースの側面に固定する室外機では、電装箱が横に突出して不恰好になると云った問題点があった。
【０００７】
したがって、電装箱が簡単に着脱でき、且つ、デザイン的にも不恰好になることのない空気調和機の室外機を提供する必要があり、それが解決すべき課題となっていた。
【課題を解決するための手段】
【０００８】
本発明は上記従来技術の課題を解決するため、冷媒圧縮機・冷媒／空気熱交換器・送風機などを本体ケース内に備えた空気調和機の室外機において、プリント基板などが収納された電装箱を本体ケースの背面に着脱可能に取着したことを主要な特徴とするものである。
【発明の効果】
【０００９】
本発明によれば、冷媒圧縮機・冷媒／空気熱交換器・送風機などを備えた本体ケースの背面に電装箱が着脱可能に取着されているので、電装箱を取り出す際に本体ケースの前面パネル・背面パネルなどを開ける必要がない。
【００１０】
そのため、例えば太陽電池パネルを後付けして、本体ケース内の冷媒圧縮機・送風機などに太陽電池パネルで発電した直流電力を供給するようなときにも、簡単に電力ケーブルなどを接続することができる。
【発明を実施するための最良の形態】
【００１１】
冷媒圧縮機・冷媒／空気熱交換器・送風機などを本体ケース内に備えた空気調和機の室外機において、本体ケースの側面に電装箱取着部材の側面添設部が螺子により着脱可能に取着され、その側面添設部の後端から延設されて本体ケースの背面に添設された背面添設部と、その背面添設部の下端から後方に延設された受板部と、背面添設部の上端から後方に延設された天板部と、少なくとも受板部・天板部の何れか一方の後端から他方の側に延設された後方ガイド部材とから構成された電装箱取着部に、電装箱が受板部上を左右方向に摺動して着脱可能に取着された空気調和機の室外機。
【実施例１】
【００１２】
本発明の一実施例を、図１〜図３に基づいて説明する。なお、理解を容易にするため、これらの図においても前記図４において説明した部分と同様の機能を有する部分には、同一の符号を付した。
【００１３】
本発明の室外機１においては、図示しないプリント基板、直流／直流コンバータなどを収納した電装箱２が、図示しない冷媒圧縮機、冷媒／空気熱交換器、送風機などを収納した、例えば鋼製の本体ケース３の背面に、電装箱取着部材４を介して着脱可能に取着されている。
【００１４】
なお、本発明においては、理解を容易にするため本体ケース３に後述する空気取込穴が設けられた側を室外機１の後側、その反対側で図示しない空気の吹出口が設けられた側を室外機１の前側と呼び、電装箱２、電装箱取着部材４についても室外機１の前側から見て、前側に位置する側を前側、後側に位置する側を後側、右側に位置する側を右側、左側に位置する側を左側と呼んで説明するものとする。
【００１５】
電装箱取着部材４は、図２に例示したように本体ケース３の一方の側面、例えば本体ケース３の右側面部３Ａに螺子５により着脱可能に添設された側面添設部６と、その側面添設部６の後端部から左側に直角に屈曲されて延設され、本体ケース３の背面部３Ｂに添設された背面添設部７と、その背面添設部７の中央下端部から後方に延設された受板部８と、背面添設部７の右端下端部から後方に延設されたストッパ９と、背面添設部７の上端部から後方に延設された天板部１０と、その天板部１０の後端部から垂設された後方ガイド部１１とを備えており、鋼板のプレス加工により作製されている。そして、背面添設部７と、受板部８と、天板部１０と、後方ガイド部１１とで、電装箱２が着脱可能に取着される電装箱取着部１２が形成されている。
【００１６】
なお、受板部８は背面添設部７からガイド溝１３を介して後方に延設されている。また、電装箱取着部材４の側面添設部６と天板部１０にはそれぞれ２個の螺子穴１４が設けられ、ストッパ９には１個の螺子穴１４が設けられている。
【００１７】
また、電装箱取着部材４の背面添設部７の左端下端部には、図３に示したように前方に突設された下向きの一対の挟持爪１５、１６が形成され、前方に大きく突設された挟持爪１５が本体ケース３の背面部３Ｂの所定の空気取込穴１７に入って所定の横板部１８の前方に位置し、他方の挟持爪１６が横板部１８の後方に位置して、一対の挟持爪１５、１６により所定の横板部１８を着脱可能に前後から挟持する構成となっている。
【００１８】
また、電装箱取着部材４の背面添設部７の左端上部には、図３に示したように切り起し加工により前方に突設された下向きの係止爪１９が形成され、本体ケース３の背面部３Ｂの所定の長穴状の空気取込穴２０に挿し込まれて、所定の細い横板部２１に着脱可能に係止されるように構成されている。
【００１９】
そして、電装箱取着部材４は係止爪１９を所定の位置の長穴状の空気取込穴２０に挿し込んで所定の細い横板部２１に係止し、背面添設部７の上端部を着脱可能に横板部２１により支持すると共に、一対の挟持爪１５、１６により所定の横板部１８を挟持することで背面添設部７の下端部を着脱可能に支持し、側面添設部６の螺子穴１４を本体ケース３の右側面部３Ａに設けられた螺子穴１４に一致させて、側面添設部６の側から螺子５を螺子穴１４に捩じ込むことで、電装箱取着部材４は本体ケース３に着脱可能に取着される。
【００２０】
一方、電装箱２は、図２に示したように右側面部２Ａの下端部にストッパ２２が突設され、電装箱取着部材４の背面添設部７に添設される前面部２Ｂの下端部には下向きのガイド板部２３が突設され、所要部には螺子穴１４が設けられている。
【００２１】
そして、電装箱２は電装箱取着部材４の電装箱取着部１２に横方向から着脱可能な寸法に作製されている。すなわち、電装箱２の左側を電装箱取着部材４の電装箱取着部１２の右側に位置させて左方向に移動して電装箱２の底板を受板部８に載せ、さらに左方向に移動するとガイド板部２３がガイド溝１３に嵌り込み、電装箱２をさらに左方向に摺動して電装箱取着部材４のストッパ９に電装箱２のストッパ２２がぶつかるまで移動すると、ストッパ９の螺子穴１４とストッパ２２の螺子穴１４の位置が一致し、且つ、天板部１０の螺子穴１４と電装箱２の天板部２Ｃの螺子穴１４とも一致するように作製されている。
【００２２】
したがって、電装箱２のストッパ２２の側と、電装箱取着部材４の天板部１０の側から３本の螺子５をそれぞれの螺子穴１４に捩じ込むことで、電装箱２は電装箱取着部材４に取着される。そして、その３本の螺子５を外して電装箱２は右方向に摺動するだけで、本体ケース３の背面から取り外すことができる。
【００２３】
また、電装箱取着部材４の側面添設部６の螺子穴１４と、本体ケース３の右側面部３Ａの螺子穴１４とにねじ込まれた２本の螺子５を外すと電装箱取着部材４を上に引き上げることが可能になるので、これら２本の螺子５を着脱することにより、電装箱取着部材４を着脱して電装箱２の着脱を行うことも可能である。
【００２４】
本体ケース３の上部には、図１に示すように左右一対の取着台２４により太陽電池パネル２５が角度調節可能に取着されている。そして、太陽電池パネル２５で発電された直流電力が電装箱２に内蔵された図示しない直流／直流コンバータに供給可能に電力ケーブル２６が配線され、太陽電池パネル２５で発電された直流電力が電装箱２内の直流／直流コンバータにより昇圧されて、本体ケース３内の冷媒圧縮機、送風機などに、商用電力よりも優先的に供給されるように構成されている。
【００２５】
なお、本発明は上記実施形態に限定されるものではないので、特許請求の範囲に記載の趣旨から逸脱しない範囲で各種の変形実施が可能である。
【００２６】
例えば、実施例においては一対の挟持爪１５、１６の両方が前方に突出する構造としたが、これは電装箱取着部材４の背面添設部７が波板状に形成された本体ケース３の背面部３Ｂと波板状には形成されない横板部１８との後方に位置しているためである。
【００２７】
それ故、背面添設部７が添設される背面部３Ｂが波板状には形成されず、したがって背面添設部７の前面と横板部１８の後面とが同一面に位置するときには、他方の挟持爪１６は前方に突設せず、単に垂設して、前方に突設した一方の挟持爪１５とで横板部１８を前後から挟持するように構成しても良い。
【００２８】
また、電装箱取着部材４には側面添設部６は設けず、背面添設部７の部分を本体ケース３の背面部３Ｂに螺子５などにより直接取着し、その電装箱取着部１２に電装箱２を横方向から着脱するように構成することも可能である。
【００２９】
また、電装箱取着部材４の後方ガイド部材１１は天板部１０にではなく、受板部８に設けることも可能であるし、天板部１０と受板部８の両方に設けることも可能である。その際、ガイド溝１３とガイド板部２３の設置は省略することも可能である。
【００３０】
また、図２の仮想線で示したように、電装箱２の右側面部２Ａの下端部に設けられたストッパ２２の部分に、ケーブル類を固定するための二つのクリップ２７を着脱可能に螺子止めし、電力ケーブル２６などを固定するようにしても良い。
【００３１】
また、電装箱２内に直流電力を交流電力に変換する直流／交流コンバータを内蔵するようにしても良い。
【００３２】
さらに、本体ケース３には、電装箱２に内蔵した電装部品以外の電装部品、例えば故障し難く、配線換えなどをすることも少ない電装部品を収納した第２の電装箱を内蔵することも可能である。
【図面の簡単な説明】
【００３３】
【図１】本発明室外機の説明図である。
【図２】本発明室外機における電装箱の着脱要領を示す説明図である。
【図３】本発明室外機における電装箱取着部材の着脱要領を示す説明図である。
【図４】従来技術の説明図である。
【符号の説明】
【００３４】
１、１Ｘ  室外機
２  電装箱
２Ａ  右側面部
２Ｂ  前面部
２Ｃ  天板部
３  本体ケース
３Ａ  右側面部
３Ｂ  背面部
４  電装箱取着部材
５  螺子
６  側面添設部
７  背面添設部
８  受板部
９  ストッパ
１０  天板部
１１  後方ガイド部
１２  電装箱取着部
１３  ガイド溝
１４  螺子穴
１５、１６  挟持爪
１７  空気取込穴
１８  横板部
１９  係止爪
２０  空気取込穴
２１  横板部
２２  ストッパ
２３  ガイド板部
２４  取着台
２５  太陽電池パネル
２６  電力ケーブル
２７  クリップ
３０  レール
【図１】
2005249246.tif 000003
【図２】
2005249246.tif 000004
【図３】
2005249246.tif 000005
【図４】
2005249246.tif 000006